(57)【要約】【課題】吊下げられるべきシートよりも小型にできるとともに、シート吊下部に他物が引っ掛かり難いシート吊具を提供する。【解決手段】短冊形をなし、幅方向の一縁部が薄肉のヒンジ１にて枢動を可能に連結された二つの枢動体２，３と、枢動体２，３の長手方向一端部に枢支された取付部と、枢動体２，３の対向する内面に配してある複数の凸部５と、凸部５の先端部が嵌入される嵌入孔６とを有し、ヒンジ１を支点として展開位置へ枢動された枢動体２，３の凸部５に、該凸部５に対応する孔が開設されているシートＡを凸部５にて止め、枢動体２，３の対向状態を凸部５及び嵌入孔６にて維持し、シートＡを吊下げることができるようにした。【選択図】図４
2011244886.tif 000002
【特許請求の範囲】
【請求項１】
シートが吊下げられるべきシート吊下部及び該シート吊下部を物体に取付けるための取付部を有するシート吊具において、前記シート吊下部は、ヒンジにより枢動を可能に連結されている二つの枢動体と、該枢動体の対向する内側に配してあるシート止部及び前記枢動体の対向状態を維持する維持手段とを有することを特徴とするシート吊具。
【請求項２】
前記取付部は揺動を可能に前記シート吊下部に枢支され、該取付部の揺動を規制する規制手段を備える請求項１記載のシート吊具。
【請求項３】
前記シート止部は、前記枢動体の少なくとも一方と一体に成形されている凸部である請求項１又は２記載のシート吊具。
【請求項４】
前記維持手段は、前記凸部及び前記枢動体の他方に配され、前記凸部の先端部が嵌入される嵌入孔を有する請求項１から３のいずれか一つに記載のシート吊具。
【請求項５】
前記枢動体は短冊形をなし、該枢動体の長手方向一端側に前記取付部が配され、前記枢動体の長手方向に離隔して前記シート止部が複数配されている請求項１から４のいずれか一つに記載のシート吊具。
【請求項６】
シートが吊下げられるべきシート吊下部及び該シート吊下部を物体に取付けるための取付部を有するシート吊具において、前記取付部は揺動を可能に前記シート吊下部に枢支され、該取付部の揺動を規制する規制手段を備えることを特徴とするシート吊具。
【請求項７】
前記規制手段は、前記取付部の揺動方向へ離隔して前記枢動体に配されている複数の凹部又は凸部と、前記取付部に配され、前記凹部又は凸部に係合する凸部又は凹部とを有する請求項１から６のいずれか一つに記載のシート吊具。
【発明の詳細な説明】
【技術分野】
【０００１】
本発明は商品陳列什器のフックバー等に取付けられ、商品情報等が記載されたシート、小物商品が上下に列状に保持されたシート等を吊下げるためのシート吊具に関する。
【背景技術】
【０００２】
売場に通路を隔てて配される複数の商品陳列什器には、商品吊下用の複数のフックバーが通路に沿って設けられ、適宜の距離間に配される複数のフックバーに一商品が吊下げられ、通路に沿う方向へ離隔して複数種類の他商品が順次吊下げられており、また、吊下げられている商品の種類間には、商品名等の商品情報が記載されたカード状のシートが吊下げられたシート吊具が取付けられている。
【０００３】
フックバーは、商品陳列什器に取着される取着部と、該取着部に連なり、売場の床に対して水平状に配される吊杆部及び該吊杆部の先端から斜め上方へ延出された抜止先部とを有し、商品が吊杆部から不測に抜け出ないように構成されている。
【０００４】
シート吊具は、前記フックバーの一つに嵌入される筒部と、該筒部に一体に連なる横棒部と、該横棒部に前記シートを止めるシート止部とを有する（例えば、特許文献１）。シート止部は、横棒部に結合された収納ケース、又は横棒部に結合されたクリップであり、前記シートの全体が収納ケース内に収納されるか、又は前記シートの縁部がクリップにて挾持される。
【先行技術文献】
【特許文献】
【０００５】
【特許文献１】登録実用新案第３０４５７７０号公報
【発明の概要】
【発明が解決しようとする課題】
【０００６】
ところが、特許文献１に記載されているように、収納ケースを有するシート吊具にあっては、吊下げられるシートよりも大型となり、嵩張るとともに、コスト高になるという問題があり、また、クリップを有するシート吊具にあっては、クリップの摘部及び挾持部が横棒部の周面から突出し、他物が引っ掛かり易いし、嵩張るという問題があった。また、取付部がシート吊下部と一体に成形されているため、吊杆部に対する抜止先部の傾斜角度が異なるフックバーに取付けられる場合、シート吊下部が売場の床に対して傾斜し、シート吊下部に吊下げられたシートも床に対して歪むことになるという問題もあった。
【０００７】
本発明は斯かる事情に鑑みてなされたものであり、主たる目的は、吊下げられるシートよりも小型にできるとともに、シート吊下部に他物が引っ掛かり難いシート吊具を提供することにあり、また、他の目的は、種類が異なるフックバーに取付けられる場合であっても、売場の床に対してシート吊下部を水平状に配することができるシート吊具を提供することにある。
【課題を解決するための手段】
【０００８】
第１発明に係るシート吊具は、シートが吊下げられるべきシート吊下部及び該シート吊下部を物体に取付けるための取付部を有するシート吊具において、前記シート吊下部は、ヒンジにより枢動を可能に連結されている二つの枢動体と、該枢動体の対向する内側に配してあるシート止部及び前記枢動体の対向状態を維持する維持手段とを有することを特徴とする。
【０００９】
第１発明にあっては、ヒンジにて連結された枢動体間のシート止部にシートの縁部を止めることができるため、吊下げられるシートよりも小型にすることができ、また、シート吊下部に他物が引っ掛かり難い。
【００１０】
第２発明に係るシート吊具は、前記取付部は揺動を可能に前記シート吊下部に枢支され、該取付部の揺動を規制する規制手段を備えることを特徴とする。
第２発明にあっては、取付部のシート吊下部に対する位置を変えることができるため、商品吊下用フックバーの形態が異なる場合においても、シート吊下部を水平状に配することができる。
【００１１】
第３発明に係るシート吊具は、前記シート止部は、前記枢動体の少なくとも一方と一体に成形されている凸部であることを特徴とする。
第３発明にあっては、枢動体を開くことにより、凸部に対応する孔が開設されているシートを前記凸部に止めることができ、枢動体を閉じることによりシートを吊下げることができるため、シートの着脱を簡易にできる。
【００１２】
第４発明に係るシート吊具は、前記維持手段は、前記凸部及び前記枢動体の他方に配され、前記凸部の先端部が嵌入される嵌入孔を有することを特徴とする。
第４発明にあっては、シートを止める凸部の先端部が嵌入孔に嵌入されることにより枢動体の対向状態が維持されるため、シートの脱落をなくすることができるとともに、枢動体の閉操作を簡易にできる。
【００１３】
第５発明に係るシート吊具は、前記枢動体は短冊形をなし、該枢動体の長手方向一端側に前記取付部が配され、前記枢動体の長手方向に離隔して前記シート止部が複数配されていることを特徴とする。
第５発明にあっては、枢動体の長手方向に離隔して配された複数のシート止部にシートを止めることができるため、シートの適正な姿勢を保つことができるとともに、シートをより一層脱落し難くすることができる。
【００１４】
第６発明に係るシート吊具は、シートが吊下げられるべきシート吊下部及び該シート吊下部を物体に取付けるための取付部を有するシート吊具において、前記取付部は揺動を可能に前記シート吊下部に枢支され、該取付部の揺動を規制する規制手段を備えることを特徴とする。
第６発明にあっては、取付部のシート吊下部に対する位置を変えることができるため、商品吊下用フックバーの形態が異なる場合においても、シート吊下部を水平状に配することができる。
【００１５】
第７発明に係るシート吊具は、前記規制手段は、前記取付部の揺動方向へ離隔して前記枢動体に配されている複数の凹部又は凸部と、前記取付部に配され、前記凹部又は凸部に係合する凸部又は凹部とを有することを特徴とする。
第７発明にあっては、取付部を揺動させることにより、揺動方向へ離隔している凹部の一つに凸部が係合するか、又は揺動方向へ離隔している凸部の一つに凹部が係合して取付部の揺動が規制されるため、取付部のシート吊下部に対する位置変更を簡易にできる。
【発明の効果】
【００１６】
本発明によれば、ヒンジにて連結された枢動体間のシート止部にシートの縁部を止めることができるため、吊下げられるシートよりも小型にすることができ、また、シート吊下部に他物が引っ掛かり難い。
【００１７】
また、本発明によれば、取付部のシート吊下部に対する位置を変えることができるため、商品吊下用フックバーの形態が異なる場合においても、シート吊下部を水平状に配することができる。
【００１８】
また、本発明によれば、枢動体を開くことにより、凸部に対応する孔が開設されているシートを前記凸部に止めることができ、枢動体を閉じることによりシートを吊下げることができ、シートの着脱を簡易にできる。
【００１９】
また、本発明によれば、シートを止める凸部の先端部が嵌入孔に嵌入されることにより枢動体の対向状態が維持され、シートの脱落をなくすることができるとともに、枢動体の閉操作を簡易にできる。
【００２０】
また、本発明によれば、枢動体の長手方向に離隔して配された複数のシート止部にシートを止めることができ、シートの適正な姿勢を保つことができるとともに、シートをより一層脱落し難くすることができる。
【００２１】
また、本発明によれば、取付部を揺動させることにより、取付部のシート吊下部に対する位置変更を簡易にできる。
【図面の簡単な説明】
【００２２】
【図１】本発明に係るシート吊具の構成を示す正面図である。
【図２】本発明に係るシート吊具の構成を示す背面図である。
【図３】本発明に係るシート吊具の構成を示す底面図である。
【図４】図１のIV−IV線拡大断面図である。
【図５】図１のV −V 線拡大断面図である。
【図６】本発明に係るシート吊具の構成を示す展開正面図である。
【図７】本発明に係るシート吊具の構成を示す展開底面図である。
【図８】本発明に係るシート吊具の構成を示す展開状態での縦断側面図である。
【図９】本発明に係るシート吊具の使用状態を示す説明図である。
【図１０】本発明に係るシート吊具の他の使用状態を示す説明図である。
【図１１】本発明に係るシート吊具の他の使用状態を示す説明図である。
【発明を実施するための形態】
【００２３】
以下、本発明をその実施の形態を示す図面に基づいて詳述する。
図１は本発明に係るシート吊具の構成を示す正面図、図２はシート吊具の構成を示す背面図、図３はシート吊具の構成を示す底面図、図４は図１のIV−IV線拡大断面図、図５は図１のV −V 線拡大断面図、図６はシート吊具の構成を示す展開正面図、図７はシート吊具の構成を示す展開底面図、図８はシート吊具の構成を示す展開状態での縦断側面図である。
【００２４】
シート吊具は、薄肉のヒンジ１により枢動を可能に連結され、短冊形をなす二つの枢動体２，３と、該枢動体２，３の長手方向一端部に揺動を可能に枢支されている取付部４と、一方の枢動体２の内面に一体に成形されているシート止用の複数の凸部５と、他方の枢動体３に開設され、凸部５の先端部が嵌入される嵌入孔６とを有する。枢動体２，３はシート吊下部を構成しており、凸部５はシート止部を構成しており、凸部５及び嵌入孔６は、枢動体２，３の対向状態を維持する維持手段を構成している。
【００２５】
枢動体２，３は幅方向一縁部が薄肉のヒンジ１にて一体に連なり、ヒンジ１を支点として対向する位置に枢動されたとき、図４に示すように枢動体２，３間に若干の隙間が生じるように構成されている。
【００２６】
枢動体２は、扁平の板状に形成され、長手方向一端部の内面に枢軸７が一体に成形され、長手方向他端側の内面に三つの凸部５が一体に成形されている。また、枢動体２の長手方向一端側角部と枢軸７との間には、図２、図５に示すように微小孔からなる二つの凹部８が開設されている。
【００２７】
凸部５及び枢軸７は、先端部が大径の円柱形をなし、先端部にスリットが設けられ、径方向への撓みが可能に構成されている。二つの凹部８は、取付部４の揺動方向へ僅かに離隔して設けられている。
【００２８】
枢動体３は、内面に狭凹所３ａ及び広凹所３ｂを有する扁平の板状に形成され、狭凹所３ａに、枢軸７の先端部が嵌入される段付の嵌合孔９が開設され、広凹所３ｂに、凸部５の先端部が嵌入される段付の嵌入孔６が開設されている。嵌合孔９の小孔部周り及び嵌入孔６の小孔部周りは枢動体２側へ膨出しており、嵌合孔９に嵌入された枢軸７の先端部が嵌合孔９の大孔部に嵌まり、嵌入孔６に嵌入された凸部５の先端部が嵌入孔６に嵌まり、外部への突出をなくしてある。
【００２９】
取付部４は、筒状部４ａ及び該筒状部４ａの一端から延出された板状部４ｂを有し、該板状部４ｂに、枢軸７が嵌入される軸孔４１が開設され、該軸孔４１と筒状部４ａとの間に、凹部８の一つに係合する凸部４２が一体に設けられている。また、筒状部４ａの内面には、微小の凸条部４ｃが複数設けられている。
【００３０】
以上のように構成されたシート吊具は、展開されている枢動体２の枢軸に取付部４の軸孔４１部分が嵌入され、三つの凸部５に対応する孔が縁部に開設されているシートＡの孔部が凸部５に嵌められた後、ヒンジ１を支点として一方の枢動体３が対向する位置へ枢動される際、枢軸７の先端部が嵌合孔９に嵌入され、凸部５の先端部が嵌入孔６に嵌入され、枢動体２，３の対向状態が維持される。
【００３１】
図９はシート吊具の使用状態を示す説明図である。商品名等の商品情報が記載されているシートＡが吊下げられる場合、展開位置へ枢動されている枢動体２，３の三つの凸部５に、凸部５に対応する孔が縁部に開設されているシートＡの孔部が凸部５に嵌められた後、ヒンジ１を支点として一方の枢動体３が対向する位置へ枢動されることにより、シートＡの孔部が三つの凸部５にて止められ、枢動体２，３の間から吊下げられる（図４参照）。
【００３２】
商品陳列什器にシート吊具が取付けられる場合、商品陳列什器に取着されている複数の商品吊下用フックバー１０の一つの抜止先部１０ａに取付部４の筒状部４ａが嵌入され、売場の床に対して枢動体２，３（シート吊下部）が水平状となる。
【００３３】
フックバー１０の抜止先部１０ａにシート吊具が取付けられる際、吊杆部１０ｂに対する抜止先部１０ａの傾斜角度の違いにより、売場の床に対して枢動体２，３（シート吊下部）が水平状にならないとき、取付部４を枢動体２，３に対して揺動させ、取付部４の枢動体２，３に対する位置を変えることにより、売場の床に対して枢動体２，３を水平状にすることができる。
【００３４】
また、以上のように構成されたシート吊具は、商品名等の商品情報が記載されているシートＡが吊下げられる他、小物商品が上下に列状に保持された縦長の小物保持用のシートＢを吊下げることもできる。
図１０、図１１はシート吊具の他の使用状態を示す説明図である。このシートＢの上端部には、一つの凸部５が嵌入される一つの孔が開設され、該孔よりも下側に複数の小物商品が上下に列状に保持されている。
【００３５】
小物保持用のシートＢが吊下げられる場合、展開位置へ枢動されている枢動体２，３の凸部５に、凸部５に対応する孔が上端部に開設されているシートＢの孔部が一つの凸部５に嵌められた後、ヒンジ１を支点として一方の枢動体３が対向する位置へ枢動されることにより、シートＢの孔部が一つの凸部５にて止められ、枢動体２，３の間から吊下げられる。
【００３６】
尚、以上説明した実施の形態では、シート止部として一方の枢動体に凸部５を設けたが、その他、二つの枢動体２，３の夫々に凸部５を設けた構成としてもよい。また、一方の枢動体２に設けられる凸部５は複数で有る他、一つであってもよい。
【００３７】
また、以上説明した実施の形態では、維持手段として、シート止部を構成する凸部５が嵌入孔６に嵌入される構成としたが、その他、凸部５とは別個に設けられる凸部が嵌入孔に嵌入されることにより枢動体２，３の対向状態を維持する構成としてもよい。また、ヒンジ１は必ずしも薄肉のヒンジでなくてもよい。
【符号の説明】
【００３８】
１    ヒンジ
２，３  枢動体（シート吊下部）
４    取付部
５    凸部（シート止部，維持手段）
６    嵌入孔（維持手段）
８    凹部（規制手段）
４２  凸部（規制手段）
Ａ，Ｂ  シート
【図１】
2011244886.tif 000003
【図２】
2011244886.tif 000004
【図３】
2011244886.tif 000005
【図４】
2011244886.tif 000006
【図５】
2011244886.tif 000007
【図６】
2011244886.tif 000008
【図７】
2011244886.tif 000009
【図８】
2011244886.tif 000010
【図９】
2011244886.tif 000011
【図１０】
2011244886.tif 000012
【図１１】
2011244886.tif 000013